(57)【要約】【課題】  複数の音響源を備えて、車内で複数の音響源から選択的に音響を再生する車載音響装置において、音響源の選択操作を容易に知覚して音響源の選択操作を極めて容易に行えるようにする。【解決手段】  車載音響装置は互いに異なる音響信号を出力する複数の音響源１１〜１４と、音響源からの音響出力を出力するためのスピーカ２３及び後席ヘッドフォン２４とを有している。マイクロコントローラ１８及び音声信号処理装置１５はスピーカに出力する音響源を選択操作するための第１の音響選択信号に応じて音響源の一つを選択操作し、後席ヘッドフォンに出力する音響源を選択操作する第２の音響選択信号に応じて音響源の一つを選択操作して、さらに、第２の音響選択信号に応じた選択操作を示す音声情報が格納された音声メモリ１７から音声情報を読み出して後席ヘッドフォンに与える。【選択図】        図１
2006067353.tif 000002
【特許請求の範囲】
【請求項１】
互いに異なる音響信号を出力する複数の音響源と、
前記音響源からの音響出力を出力するための第１及び第２の音響出力部と、
前記第１の音響出力部に出力する音響源を選択操作するための第１の音響選択信号に応じて前記音響源の一つを選択操作し、前記第２の音響出力部に出力する音響源を選択操作する第２の音響選択信号に応じて前記音響源の一つを選択操作する選択制御手段と、
前記第２の音響選択信号に応じた選択操作を示す音声情報が格納された記憶手段と、
前記第２の音響選択信号に応じて前記記憶手段をアクセスして前記音声情報を読み出して前記第２の音響出力部に与える情報読出手段とを備えた車載音響装置。
【請求項２】
第１の音響選択信号を出力する操作手段と、選択制御手段と、記憶手段と、情報読出手段は前席ユニットとして車両の前席側に配置され、
第２の音響選択信号を出力するリモコンを有することを特徴とする請求項１記載の車載音響装置。
【請求項３】
リモコンは第２の音響出力部であるヘッドフォン装置と対応付けられていることを特徴とする請求項２記載の車載音響装置。
【発明の詳細な説明】
【技術分野】
【０００１】
この発明は複数の音響源を備える車載用音響装置に関し、特に、乗員の各々が複数の音響源等から所望の音響源を選択して聴取することができる車載用音響装置に関するものである。
【背景技術】
【０００２】
一般に、車両等の移動体に備えられた車載音響装置として、複数の音響源（例えば、ラジオ、ＣＤ、及びカセットテープ等）を備えて、これら複数の音響源から選択的に音楽等の音響を出力するようにしたものがあり、このような車載音響装置において、乗員の各々が任意に音響源を選択することができるようにしたものがある。そして、音響源を選択する際、複数の音響源の内既にどの音響源が選択済であるかの情報を表示して、音響源の選択を短時間で行うようにしたものがある。
【０００３】
ここでは、例えば、車載音響装置が複数の音響源を備えた再生装置、コントローラ、第１系統のアンプ及びスピーカ、第２系統のアンプ、ヘッドフォン、及び表示部、第３系統のアンプ、ヘッドフォン、及び表示部を備えて、一人の乗員の表示部にはコンパクトディスクが既に選択されている旨のメッセージが表示されて、当該乗員は複数の音響源からまだ選択されていない音響源を知り、再生装置の重複選択を防止するようにしている（例えば、特許文献１参照）。
【０００４】
さらに、後部座席等において別の音響源を聴取する際にはヘッドフォン装置が用いられることが多く、そして、ヘッドフォン装置へ音響信号を送信する際には、ヘッドフォン装置に受信装置を内蔵して無線で送るようにしているものがある。そして、無線を用いたヘッドフォン装置において、車外でも音楽等の音響を安定的に聴取するため、ヘッドフォン装置が使用されると、制御部がアンテナ切換部を制御してアンテナの接続を送信部側に切り換えるとともに、パワーアンテナ制御部に対してアンテナの長さ変更指示を送って、パワーアンテナ制御部によってアンテナの長さを送信に適した長さに設定し、オーディオプロセッサがスピーカから出力するべき音声信号をアンプに入力してスピーカから出力させるとともに、送信部によって音声信号を送信用信号に変調して、ヘッドフォン装置に送信するようにしたものがある（例えば、特許文献２参照）。
【０００５】
【特許文献１】特開平１１−４１６９１号公報（段落（００１１）〜段落（００１９）、第１図〜第２図）
【特許文献２】特開２００１−１３６０９４公報（段落（００１８）〜段落（００３２）、第１図〜第３図）
【発明の開示】
【発明が解決しようとする課題】
【０００６】
従来の車載音響装置は、以上のように構成されているので、乗員の一人が音響源を選択する際、既に選択された音響源に関する情報が表示される結果、既に選択されている再生装置を重複して選択するという弊害を防止できるものの、乗員の一人が音響源を選択する際、既に選択された音響源に関する情報（選択情報）をモニター等の表示部に表示するようにしているため、例えば、後部座席において、ヘッドフォン装置で所望の音響を聴取しようとする場合、運転席側に（前部座席側）に配置された表示部に選択情報が表示されると、後部座席の乗員はこの選択情報を視認することが難しいことが多い。このため、後部座席側に新たに表示部を別に設ける必要があり、結果的に車載音響装置自体が高価になってしまうという課題があった。
【０００７】
さらに、視覚障害者にとっては表示部に表示される選択情報を視認できないから、視覚障害者にとって所望の音響源を選択操作することが極めて難しいという課題もあった。
【０００８】
また、従来の車載音響装置においては、ヘッドフォン装置を用いて音響を聴取することができるようにしているものの、例えば、後部座席に着座している乗員が所望の音響源を簡単に操作することは難しいという課題があった。
【０００９】
この発明は、上記のような課題を解決するためになされたもので、複数の音響源を備えて、車内で複数の音響源から選択的に音響を再生する際、音響源の選択操作を容易に知覚して音響源の選択操作が極めて容易な車載音響装置を得ることを目的とする。
【課題を解決するための手段】
【００１０】
この発明に係る車載音響装置は、互いに異なる音響信号を出力する複数の音響源と、これら音響源からの音響出力を出力するための第１及び第２の音響出力部と、第１の音響出力部に出力する音響源を選択操作するための第１の音響選択信号に応じて音響源の一つを選択操作し、第２の音響出力部に出力する音響源を選択操作する第２の音響選択信号に応じて音響源の一つを選択操作する選択制御手段と、第２の音響選択信号に応じた選択操作を示す音声情報が格納された記憶手段と、第２の音響選択信号に応じて記憶手段をアクセスして音声情報を読み出して第２の音響出力部に与える情報読出手段とを有すること特徴とするものである。
【発明の効果】
【００１１】
この発明によれば、第２の音響選択信号に応じた選択操作を示す音声情報を記憶手段に格納しておき、第２の音響選択信号に応じて記憶手段をアクセスして音声情報を読み出して第２の音響出力部に与えるように構成したので、第２の音響出力部から音響出力を聴取する乗員は、音声情報によって音響源の選択操作を容易に知覚することができ、音響源の選択操作が極めて容易に行えるという効果がある。
【発明を実施するための最良の形態】
【００１２】
実施の形態１．
図１は、この発明の実施の形態１における車載音響装置を示すブロック図であり、図示の車載音響装置１０は前席ユニット１０ａを有しており、この前席ユニット１０ａは、例えば、車両の前席側において、運転席近傍に配設されている。前席ユニット１０ａには、音響源（音響ソース）として、例えば、ラジオ１１、コンパクトディスク装置（ＣＤ）１２、カセットテープ再生装置（Ｔａｐｅ）１３、及び補助装置（ＡＵＸ）１４を備えている。これらラジオ１１、ＣＤ１２、Ｔａｐｅ１３、及びＡＵＸ１４は音声信号処理装置１５に接続されている。さらに、車載音響装置１０には、アンプ１６、音声メモリ（記憶手段）１７、マイクロコントローラ１８、変調送信手段１９、リモコン受光部２０、前席表示部２１、及び操作部２２が備えられており、前席表示部２１は車両の前席側（つまり、運転席側）に取り付けられ、操作部２２も前席側に取り付けられている。
【００１３】
前述のアンプ１６にはコネクタ１６ａを介してスピーカ（第１の音響出力部）２３が接続され、この変調送信手段１９には無線によってヘッドフォン装置（第２の音響出力部）２４が接続される（ヘッドフォン装置２４には無線受信装置が内蔵されている）。また、リモコン受光部２０では後述するように、リモコン２５からの選択信号を受信する。なお、図示の例では、ヘッドフォン装置２４及びリモコン２５は後部座席に配置されているものとする（以下後席ヘッドフォン及び後席リモコンと呼ぶ）。
【００１４】
また、音声信号処理装置１５は、図示のように、第１〜第３の音声信号処理部１５ａ〜１５ｃ、ソース選択部１５ｄ、及び混合器１５ｅを有しており、後述するように、操作部２２で選択された音響ソースからの音響信号（音声信号）は、ソース選択部１５ｄによって音声信号処理部１５ａに与えられ、アンプ１６ａを介してスピーカ２３から出力される。一方、後席リモコン２５で選択された音響ソースからの音声信号は、ソース選択部１５ｄによって音声信号処理部１５ｂに与えられ、音声メモリ１７からの音声情報と混合器１５ｅで混合された後、さらに音声信号処理部１５ｃで処理されて、変調送信手段１９から音声信号が後席ヘッドフォン２４に与えられる。
【００１５】
次に動作について説明する。
いま、運転者が所望の音響源を選択する際には、前席側に設けられた操作部２２を操作して、所望の音響源を選択する。例えば、運転者が操作部２２によってラジオ１１を選択すると、マイクロコントローラ１８は操作部２２によってラジオ１１が選択されたことを認識して、マイクロコントローラ１８はラジオ１１が選択されたことを示す前席選択信号第１の音響選択信号）を音声信号処理装置１５に与える。そして、音声信号処理装置１５では、この前席源選択信号に応じてソース選択部１５ｄによってラジオ１１を選択して、ラジオ１１と音声信号処理部１５ａとを接続することになる。
【００１６】
図示はしないが、操作部２２には、例えば、パワーオン／オフボタン（Ｐｏｗｅｒ）、モード切替ボタン（Ｍｏｄｅ）、巻き戻しボタン（ＲＥＷ）、早送りボタン（ＦＦ）、アップボタン（Ｓｅｅｋ  Ｕｐ／Ｔｒａｃｋ（Ｃｈａｐｔｅｒ）  Ｕｐ）、ダウンボタン（Ｓｅｅｋ  Ｄｏｗｎ／Ｔｒａｃｋ（Ｃｈａｐｔｅｒ）  Ｄｏｗｎ）、再生ボタン（Ｐｌａｙ）、一時停止（Ｐａｕｓｅ）、及び停止ボタン（Ｓｔｏｐ）等の各種操作ボタンがあり、マイクロコントローラ１８はこれら各種操作ボタンに応じて、音響源のいずれか一つを選択して再生等を行う。
【００１７】
ここでは、Ｐｏｗｅｒによってラジオ１１、ＣＤ１２、Ｔａｐｅ１３、及びＡＵＸ１４がオン／オフされ、モードによってラジオ１１、ＣＤ１２、Ｔａｐｅ１３、及びＡＵＸ１４のいずれかが選択される。そして、ＲＥＷ及びＦＦによってそれぞれＴａｐｅ１３の早送り及び巻き戻しが行われ、Ｓｅｅｋ  Ｕｐ／Ｔｒａｃｋ（Ｃｈａｐｔｅｒ）  Ｕｐ及びＳｅｅｋ  Ｄｏｗｎ／Ｔｒａｃｋ（Ｃｈａｐｔｅｒ）  ＤｏｗｎによってＣＤ１２のトラック番号等のアップ及びダウンが行われて、トラック番号等のサーチが行われる。また、Ｐｌａｙ、Ｐａｕｓｅ、及びＳｔｏｐによってそれぞれＣＤ１２又はＴａｐｅ１３の再生、一時停止、及び停止が行われる。
【００１８】
運転者が操作部２２によってラジオ１１をチューニングして所望のチャネルを選択すると（予めプリセットされたチャネルをプリセットボタンによって選択してもよい）、ラジオ１１からの出力信号はソース選択部１５ｄを介して音声信号処理部１５ａに与えられて、ここで信号処理された後、アンプ１６を介してスピーカ２３から出力される。なお、前席表示部２１の画面上には上述した各種操作ボタンが表示されており、前席表示部２１上の各種操作ボタンをタッチして前述の操作を行うようにしてもよく、前席表示部２１に操作部２２による操作状態を表示するようにしてもよい。
【００１９】
図２は後席リモコン２５のボタン配置の一例を示す図であり、後席リモコン２５には、Ｐｏｗｅｒ３１、Ｍｏｄｅ３２、Ｒｅｗ３３、ＦＦ３４、Ｓｅｅｋ  Ｕｐ／Ｔｒａｃｋ（Ｃｈａｐｔｅｒ）  Ｕｐ３５、Ｓｅｅｋ  Ｄｏｗｎ／Ｔｒａｃｋ（Ｃｈａｐｔｅｒ）  Ｄｏｗｎ３６、Ｐｌａｙ３７、ｓｔｏｐ３８、Ｐａｕｓｅ３９、チャネルプリセット／ディスクボタン（Ｃｈａｎｎｅｌ  Ｐｒｅｓｅｔ／Ｄｉｓｃ）４０〜４５が各種操作ボタンとして備えられており、これら各種操作ボタンの操作によって、後述するようにして、音響源の選択、再生、及び停止等の操作が行われる。
【００２０】
なお、ｃｈａｎｎｅｌ  Ｐｒｅｓｅｔ／Ｄｉｓｃ４０〜４５は、ラジオ１１のチャネルをプリセットする際に用いられるとともに、ＣＤ１２のディスクをプリセットする際に用いられる。図２にはおいては、ｃｈａｎｎｅｌ  Ｐｒｅｓｅｔ／Ｄｉｓｃ４０〜４５にはそれぞれ番号”１”〜”６”が付されており、これら番号によってチャネル又はディスクの番号が特定される。
【００２１】
ここで、後部座席にいる乗員が後席リモコン２５でＰｏｗｅｒ３１をオンして、Ｍｏｄｅ３２によってＣＤ１２を選択したとすると、後席リモコン２５からＣＤ１２を選択した旨のリモコン信号がリモコン受光部２０で受光され、電気信号に変換されてマイクロコントローラ１８に与えられる。マイクロコントローラ１８ではリモコン信号を受けると、後部座席（つまり、後席ヘッドフォン２４）では、ＣＤ１２が選択されたと認定して、ＣＤ１２が選択されたことを示すリモコン選択信号（第２の音響選択信号）を音声信号処理装置１５に与える。そして、音声信号処理装置１５では、このリモコン選択信号に応じてソース選択部１５ｄによってＣＤ１２を選択して、ＣＤ１２と音声信号処理部１５ｂとを接続することになる。
【００２２】
前述のリモコン選択信号に応じて音声信号処理装置１５は音声メモリ１７をアクセスして、音声メモリ１７から音声情報（音声メッセージ）を読み出す。図３は音声メモリ１７に記憶された音声情報の一例を示す図であり、音声メモリ１７には、前述した後席リモコン２５の各種操作ボタンに対応した音声情報が格納されている。図３において、行は音響源を示しており、列は後席リモコン２５の各種操作ボタンを示している。そして、前述のようにして、後席リモコン２５によってＣＤ１２を選択すると、音声信号処理装置１５は図３において、音声メモリ１７からＭｏｄｅ＝”ＣＤ”を示す音声情報を読み出して、混合器１５ｅに与える。
【００２３】
この状態では、まだＣＤ１２は再生されていないから、ＣＤ１２からは出力信号が送出されておらず、Ｍｏｄｅ＝”ＣＤ”を示す音声情報が音声信号処理部１５ｃに与えられて、ここで音声処理された後、変調送信手段１９によって後席ヘッドフォン２４に送られる。そして、後席ヘッドフォン２４からは”ＣＤ”という音声情報が送出され、後席ヘッドフォン２４を装着した後席乗員はＣＤが選択されたことを知る。
【００２４】
その後、後席乗員がＰｌａｙ３７を押すと、ＣＤ１２が再生されて、ＣＤ１２からの出力信号はソース選択部１５ｄを介して音声信号処理部１５ｂに与えられて、ここで信号処理される（例えば、音声信号処理部１５ｂではＣＤ１２からの出力信号レベルを所定のレベルまで低下させる処理を行う）。一方、Ｐｌａｙ３７を選択したことを示すリモコン選択信号がマイクロコントローラ１８から音声信号処理装置１５に与えられて、音声信号処理装置１５はＣＤ＝Ｐｌａｙを示す音声情報を音声メモリ１７から読み出して、混合器１５ｅに与える。そして、混合器１５ｅでＣＤ出力信号と音声情報とが混合されて、音声信号処理部１５ｃで音声処理された後、変調送信手段１９によって後席ヘッドフォン２４に送られる。そして、後席ヘッドフォン２４からはＣＤ出力信号とともに”Ｐｌａｙ”という音声情報が送出され、後席ヘッドフォン２４を装着した後席乗員はＣＤが再生されたことを知る。
【００２５】
このようにして、後席乗員が後席リモコン２５を操作する都度、リモコン選択信号が音声信号処理装置１５に与えられて、音声信号処理装置１５ではリモコン選択信号で示される操作ボタンに対応する音声情報を音声メモリ１７から読み出して、後席ヘッドフォン２４に与えることになる。例えば、後席リモコン２５によってＴｒａｃｋ  Ｕｐを行うと、後席ヘッドフォン２４には”Ｔｒａｃｋ  Ｕｐ”を示す音声情報が送られることになる。
【００２６】
このようにして、後席リモコン２５の操作ボタンに応じた音声情報が後席ヘッドフォンから送出されるから、後席乗員は自分自身の操作内容を的確に知ることができ、音響源の選択及び操作を極めて容易に行うことができることになる。
【００２７】
なお、図１に示す例においては、音声信号処理装置１５及びマイクロコントローラ１８が集合的に選択制御手段及び情報読出手段として機能することになる。また、上述の説明では、後席乗員が後席リモコン２５を操作する例について説明したが、リモコン２５は運転者以外の乗員でヘッドフォン装置２４を装着する乗員が行うようにすればよく、さらには、ヘッドフォン装置２４の代わりに別にスピーカを備えてこのスピーカから音声情報等を出力するようにしてもよい。
【００２８】
さらに、上述の例では、ヘッドフォン装置２４は変調送信手段１９によって無線で音声信号処理装置１５と接続される例について説明したが、図４に示すように、変調送信手段１９の代わりにアンプ１９ａを備えて、音声信号処理部１５ｃとアンプ１９ａとを接続して、ヘッドフォン装置２４をコネクタ１９ｂに接続するようにしてもよい。
【００２９】
図５はこの発明による車載音響装置１０の他の例を示す図であり、図５において図１と同一の構成要素については同一の参照番号を付す。図示の例では、音声信号処理装置５１にはソース選択部５２が接続されており、このソース選択部５２には、ラジオ１１、ＣＤ１２、Ｔａｐｅ１３、及び音声メモリ１７が接続されている。そして、マイクロコントローラ１８は前述の前席選択信号又はリモコン選択信号に基づいてソース選択部５２を制御して、音声信号処理装置５１に音響源を選択的に接続する。
【００３０】
また、マイクロコントローラ１８はリモコン選択信号に応じて音声メモリ１７をアクセスして後席リモコン２５で操作された操作ボタンに対応する音声情報を、ソース選択部５２を介して音声信号処理装置５１に与える。音声信号処理装置５１には図１で説明したように、スピーカ２３に繋がる第１の処理ラインと、後席ヘッドフォン２４に繋がる第２の処理ラインとが規定されており、マイクロコントローラ１８では前席選択信号によって指定された音響源をソース選択部５２によって第１の処理ラインに接続し、リモコン選択信号によって選択された音響源をソース選択部５２によって第２の処理ラインに接続するととともに、音声メモリ１７を第２の処理ラインに接続することになる。そして、図１で説明したようにして、後席ヘッドフォン２４に、リモコン操作ボタンの操作に応じて音声メモリ１７から読み出された音声情報が出力されることになる。
【００３１】
なお、図５に示す例では、マイクロコントローラ１８及びソース選択部５２が集合的に選択制御手段及び情報読出手段として機能することになる。
【００３２】
以上のように、この実施の形態１よれば、リモコン２５によって音響源を選択操作するリモコン音響選択信号に応じてマイクロコントローラ及び／又は音声信号処理装置は音響源の一つを選択操作するとともに、音声メモリ１７をアクセスして音声情報を読み出してヘッドフォン装置２４に与えるように構成したので、ヘッドフォン装置２４から音響出力を聴取する乗員は、音声情報によって音響源の選択操作を容易に知覚することができ、音響源の選択操作が極めて容易に行えるという効果がある。
【００３３】
この実施の形態１によれば、前席音響選択信号を出力する操作部２２を備え、音声信号処理装置、マイクロコントローラ、及び音声メモリを前面パネルとして車両の前席側に配置して、リモコンの操作によって前面パネル側でリモコン音響選択信号を受信するように構成したので、前面パネルを視認できなくても、ヘッドフォン装置を装着した乗員は容易に音響源の操作状況を知覚することができるという効果がある。
【図面の簡単な説明】
【００３４】
【図１】この発明の実施の形態１による車載音響装置の一例を示すブロック図である。
【図２】図１に示すリモコンの操作ボタン配列の一例を示す図である。
【図３】図１に示す音声メモリに記憶される音声情報の一例を示す図である。
【図４】この発明の実施の形態１による車載音響装置の他の例を示すブロック図である。
【図５】この発明の実施の形態１による車載音響装置のさらに他の例を示すブロック図である。
【符号の説明】
【００３５】
１０  車載音響装置、１０ａ  前席ユニット、１１  ラジオ、１２  コンパクトディスク装置（ＣＤ）、１３  カセットテープ再生装置（Ｔａｐｅ）、１４  補助装置（ＡＵＸ）、１５  音声信号処理装置、１５ａ〜１５ｃ  音声信号処理部、１５ｄ  ソース選択部、１５ｅ  混合器、１６，１９ａ  アンプ、１６ａ，１９ｂ  コネクタ、１７  音声メモリ（記憶手段）、１８  マイクロコントローラ、１９  変調送信手段、２０  リモコン受光部、２１  前席表示部、２２  操作部、２３  スピーカ（第１の音響出力部）、２４  ヘッドフォン装置（後席ヘッドフォン：第２の音響出力部）、２５  リモコン（後席リモコン）、３１  Ｐｏｗｅｒ、３２  Ｍｏｄｅ、３３  Ｒｅｗ、３４  ＦＦ、３５  Ｓｅｅｋ  Ｕｐ／Ｔｒａｃｋ（Ｃｈａｐｔｅｒ）  Ｕｐ、３６  Ｓｅｅｋ  Ｄｏｗｎ／Ｔｒａｃｋ（Ｃｈａｐｔｅｒ）  Ｄｏｗｎ、３７  Ｐｌａｙ、３８  Ｓｔｏｐ、３９  Ｐａｕｓｅ、  ４０〜４５  チャネルプリセット／ディスクボタン（Ｃｈａｎｎｅｌ  Ｐｒｅｓｅｔ／Ｄｉｓｃ）、５１  音声信号処理装置、５２  ソース選択部。
【図１】
2006067353.tif 000003
【図２】
2006067353.tif 000004
【図３】
2006067353.tif 000005
【図４】
2006067353.tif 000006
【図５】
2006067353.tif 000007